(57)【要約】【課題】根菜収納庫内の湿度を適切に換気調整することのできる新しい根菜収納庫の換気装置を提供する。【解決手段】根菜収納庫（１）内の湿度を検知する湿度センサ（２）と、根菜収納庫（１）内を換気する換気ファン（３）と、湿度センサ（２）による検知湿度に基づいて換気ファン（３）の運転を制御する制御手段（４）とを備えた根菜収納庫（１）の換気装置であって、湿度センサ（２）による検知湿度が目標湿度以上になると換気ファン（３）を所定動作時間だけ動作させ、当該動作後に換気ファン（３）を検知湿度に関係なく所定停止時間だけ停止させ、当該停止後に再び換気ファン（３）を検知湿度に関係なく所定動作時間だけ動作させる。【選択図】  図１
2004222505.tif 000002
【特許請求の範囲】
【請求項１】
根菜収納庫内の湿度を検知する湿度センサと、根菜収納庫内を換気する換気ファンと、湿度センサによる検知湿度に基づいて換気ファンの運転を制御する制御手段とを備えた根菜収納庫の換気装置であって、
湿度センサによる検知湿度が目標湿度以上になると換気ファンを所定動作時間だけ動作させ、当該動作後に換気ファンを検知湿度に関係なく所定停止時間だけ停止させ、当該停止後に再び換気ファンを検知湿度に関係なく所定動作時間だけ動作させる、
ことを特徴とする根菜収納庫の換気装置。
【請求項２】
根菜収納庫内の湿度を検知する湿度センサと、根菜収納庫内を換気する換気ファンと、湿度センサによる検知湿度に基づいて換気ファンの運転を制御する制御手段とを備えた根菜収納庫の換気装置であって、
湿度センサによる検知湿度が目標湿度以上になると換気ファンを所定動作時間だけ動作させ、当該動作後に換気ファンを検知湿度に関係なく停止させる、
ことを特徴とする根菜収納庫の換気装置。
【請求項３】
根菜収納庫内の湿度を検知する湿度センサと、根菜収納庫内を換気する換気ファンと、湿度センサによる検知湿度に基づいて換気ファンの運転を制御する制御手段とを備えた根菜収納庫の換気装置であって、
電源投入後に換気ファンを検知湿度に関係なく所定動作時間だけ動作させる、ことを特徴とする根菜収納庫の換気装置。
【請求項４】
請求項１ないし３のいずれかに記載の換気装置を備えていることを特徴とする根菜収納庫。
【発明の詳細な説明】
この出願の発明は、根菜収納庫の換気装置および根菜収納庫に関するものである。さらに詳しくは、この出願の発明は、根菜収納庫内の湿度を常に適切に換気調整することのできる新しい根菜収納庫の換気装置、ならびに該換気装置を備えた新しい根菜収納庫に関するものである。
【０００１】
【従来の技術】
従来、各種庫内の換気を行って湿度調整する換気装置としては、庫内の湿度を湿度センサにより検知し、その検知湿度に基づいて換気運転を開始・停止制御するものが知られている（特許文献１，２参照）。
【０００２】
【特許文献１】
特開平９−３６０号公報
【０００３】
【特許文献２】
特開平７−２６９８９４号公報
【０００４】
【発明が解決しようとする課題】
しかしながら、上記のとおりに湿度センサによる検知湿度に基づいた制御を行う従来の換気装置では、実用上以下のような不都合が考えられる。
【０００５】
まず、換気は検知湿度が目標湿度に達するまで続けられるので、図６（ａ）に例示したように庫外が目標湿度より高い高湿度状態のときには、庫内に高湿外気が吸入されていつまでも目標湿度に達せずに連続運転してしまい、騒音や電力消費の増大が懸念される。
【０００６】
また、湿度センサの応答速度と湿度変化速度との関係から、図７に例示したように換気による湿度低下が湿度センサの応答速度より早い場合では、実際の庫内湿度は目標湿度より低くなっているにも関わらずそれを検知できないために、余分に換気が続いて、庫内湿度が必要以上に低下してしまう恐れがあった。
【０００７】
またさらには、換気は検知湿度に基づいて開始されるので、つまり検知湿度が所定制御値にならないと換気が開始されないので、換気動作の確認を好きなときに任意に行えないという不都合があり、故障等のチェックやメンテナンスなどにおいて好ましくない。
【０００８】
これらのことは、台所等に設けられる根菜を収納するための根菜収納庫にあっても同様に発生し、その解決が強く望まれている。
【０００９】
そこで、この出願の発明は、以上のとおりの事情に鑑み、湿度センサによる検知湿度に関係なく根菜収納庫内の湿度を適切に換気調整することのできる新しい根菜収納庫の換気装置、ならびに該換気装置を備えた新しい根菜収納庫を提供することを課題としている。
【００１０】
【課題を解決するための手段】
この出願の発明は、上記の課題を解決するものとして、第１には、根菜収納庫内の湿度を検知する湿度センサと、根菜収納庫内を換気する換気ファンと、湿度センサによる検知湿度に基づいて換気ファンの運転を制御する制御手段とを備えた根菜収納庫の換気装置であって、湿度センサによる検知湿度が目標湿度以上になると換気ファンを所定動作時間だけ動作させ、当該動作後に換気ファンを検知湿度に関係なく所定停止時間だけ停止させ、当該停止後に再び換気ファンを検知湿度に関係なく所定動作時間だけ動作させる、ことを特徴とする根菜収納庫の換気装置を提供する。
【００１１】
またこの出願の発明は、第２には、根菜収納庫内の湿度を検知する湿度センサと、根菜収納庫内を換気する換気ファンと、湿度センサによる検知湿度に基づいて換気ファンの運転を制御する制御手段とを備えた根菜収納庫の換気装置であって、湿度センサによる検知湿度が目標湿度以上になると換気ファンを所定動作時間だけ動作させ、当該動作後に換気ファンを検知湿度に関係なく停止させる、ことを特徴とする根菜収納庫の換気装置を提供する。
【００１２】
さらにまたこの出願の発明は、第３には、根菜収納庫内の湿度を検知する湿度センサと、根菜収納庫内を換気する換気ファンと、湿度センサによる検知湿度に基づいて換気ファンの運転を制御する制御手段とを備えた根菜収納庫の換気装置であって、電源投入後に換気ファンを検知湿度に関係なく所定動作時間だけ動作させる、ことを特徴とする根菜収納庫の換気装置を提供する。
【００１３】
そしてこの出願の発明は、第４には、上記いずれかに記載の換気装置を備えていることを特徴とする根菜収納庫を提供する。
【００１４】
【発明の実施の形態】
［第１の実施形態］
図１（ａ）（ｂ）はこの出願の発明の一実施形態を示した概略構成図および制御ブロック図であり、図２（ａ）（ｂ）は本実施形態における換気制御について説明するための図である。
【００１５】
本実施形態では、図１（ａ）（ｂ）に示したように、根菜（１０）が収納される根菜収納庫（１）内の湿度を検知する湿度センサ（２）と、根菜収納庫（１）内を換気する換気ファン（３）と、湿度センサ（２）による検知湿度に基づいて換気ファン（３）の運転を制御するＣＰＵ等の制御手段（４）とが備えられており、これにおいて、図２（ａ）（ｂ）に示したように、制御手段（４）は、湿度センサ（２）による検知湿度が目標湿度以上になると、より具体的には目標湿度範囲の上限値に達すると換気ファン（３）を所定動作時間Ｔｏだけ動作させ、この動作後に換気ファン（３）を検知湿度に関係なく所定停止時間Ｔｓだけ停止させ、より具体的には所定動作時間Ｔｏ経過時に換気ファン（３）を停止させてその停止状態を強制的に所定停止時間Ｔｓだけ維持させ、この停止後に再び換気ファン（３）を検知湿度に関係なく強制的に所定動作時間Ｔｏだけ動作させる。後はこの制御を繰り返す。
【００１６】
このとき、所定動作時間Ｔｏは、根菜収納庫（１）内の湿度が排気されるのに要する時間であり、予め根菜収納庫（１）の収納量や換気ファン（３）の換気能力などに基づいて設定される。たとえば一例として、収納庫容量が４３０ｍｍ×１８８ｍｍ×３６０ｍｍ、ファン能力が２０リットル／分である場合において庫内湿度を目標湿度範囲の上限値７０％から下限値６０％まで下げるのに要する時間に所定動作時間Ｔｏを設定する。
【００１７】
また、所定停止時間Ｔｓは、根菜を根菜収納庫（１）の最大収納量収納した状態における換気ファン（３）の停止する湿度から動作する湿度までの時間であり、予め根菜収納庫（１）の収納量などに基づいて設定される。たとえば一例として、ジャガイモ１５個、玉ネギ１０個、サツマイモ５個、ニンニク５個、カボチャ１個が最大収納量である場合においてこの最大収納量収納された根菜から発生する水分により庫内湿度が換気後から目標湿度範囲の上限値７０％まで上がるのに要する時間に所定停止時間Ｔｓを設定する。この例では３６０分と設定できる。
【００１８】
これによれば、最初に検知湿度に従って換気が開始されると、その後は検知湿度とは無関係に強制的にＯＮ（Ｔｏ）／ＯＦＦ（Ｔｓ）タイマー制御が行われるので、図２（ａ）に示したように庫外の湿度が目標湿度範囲の上限値より高い場合において、換気ファン（３）が無意味に長時間運転することがなくなり、連続運転に伴う騒音や消費電力を抑えることができ、図２（ｂ）に示したように庫外の湿度が目標湿度範囲の下限値より低い場合においても、所定動作時間Ｔｏの動作により湿度を下限値まで下げ、所定停止時間Ｔｓの停止により湿度が上限値を超える前に換気が開始されるので、同一の制御方式のままで適切な湿度調整ができるようになる。
【００１９】
［第２の実施形態］
図３はこの出願の発明の別の換気制御について説明するための図である。
【００２０】
本実施形態では、図３に示したように、制御手段（４）（図１参照）は、湿度センサ（３）（図１参照）による検知湿度が目標湿度以上になると、より具体的には目標湿度範囲の上限値に達すると換気ファン（３）を所定動作時間Ｔｏ２だけ動作させ、この動作後に換気ファン（３）を検知湿度に関係なく強制的に停止させる。後はこの制御を繰り返す。
【００２１】
このとき、所定動作時間Ｔｏ２は、根菜収納庫（１）内の湿度が排気されるのに要する時間であり、予め根菜収納庫（１）の収納量や換気ファン（３）の換気能力などに基づいて設定される。たとえば一例として、収納庫容量が４３０ｍｍ×１８８ｍｍ×３６０ｍｍ、ファン能力が２０リットル／分である場合においては所定動作時間Ｔｏ２を７分と設定できる。
【００２２】
これによれば、換気開始は検知湿度に従うが、その後は検知湿度とは無関係に強制的に所定動作時間Ｔｏ２経過後に換気停止させるというタイマー制御が行われるので、応答速度の遅い湿度センサ（２）を用いたとしても、所定動作時間Ｔｏ２の動作により実際の湿度が目標湿度範囲以下になる前に換気が停止されて、庫内湿度が必要以上に低下することがなくなり、根菜（１０）（図１参照）を乾燥させ過ぎずに収納でき、湿度センサ（２）の応答速度つまりセンサ感度に関係のない適切な換気制御による湿度調整を実現できるようになる。
【００２３】
［第３の実施形態］
図４はこの出願の発明の別の一実施形態を示した概略構成図であり、図５は本実施形態における換気制御について説明するための図である。
【００２４】
本実施形態では、根菜収納庫（１）の外側に電源スイッチ（５）が設けられている。電源スイッチ（５）の横には、換気ファン（図示なし）と湿度センサ（図示なし）と制御手段（図示なし）とを備えた換気ユニット（８）から延びたダクト（７）の換気口を覆うグリル（６）も設けられている。これにおいて、図５に示したように、換気ユニット（８）内の制御手段は、電源スイッチ（５）により電源が投入された後、換気ファンを検知湿度に関係なく、つまり湿度センサからのＯＮ信号とは無関係に強制的に、予め任意に設定した所定動作時間Ｔｏ３だけ動作させる。この動作後は通常の検知湿度に従った換気制御を行う（もちろんこの制御には上記第１および第２の実施形態における制御方式を採用できる）。
【００２５】
これによれば、電源投入時に所定動作時間Ｔｏ３だけ検知信号とは無関係な換気運転が運転チェック用に行われるので、換気ファンやそれに関連する電気回路等を含めた換気ユニット（８）の動作確認を任意に且つ容易に行うことができるようになる。
【００２６】
もちろん、この出願の発明は以上の実施形態に限定されるものではなく、細部については様々な態様が可能である。
【００２７】
【発明の効果】
以上詳しく説明したとおり、この出願の発明によって、根菜収納庫内の湿度を適切に換気調整することのできる新しい根菜収納庫の換気装置、ならびに該換気装置を備えた新しい根菜収納庫が提供される。
【図面の簡単な説明】
【図１】（ａ）（ｂ）は、各々、この出願の発明の一実施形態を示した概略構成図および制御ブロック図である。
【図２】（ａ）（ｂ）は、各々、この出願の発明による換気制御について説明するための図である。
【図３】この出願の発明による別の換気制御について説明するための図である。
【図４】この出願の発明の別の一実施形態を示した概略構成図である。
【図５】この出願の発明による別の換気制御について説明するための図である。
【図６】（ａ）（ｂ）は、各々、従来の換気装置による換気制御について説明するための図である。
【図７】従来の換気装置による別の換気制御について説明するための図である。
【符号の説明】
１  根菜収納庫
２  湿度センサ
３  換気ファン
４  制御手段
５  電源スイッチ
６  グリル
７  ダクト
８  換気ユニット
１０  根菜
【図１】
2004222505.tif 000003
【図２】
2004222505.tif 000004
【図３】
2004222505.tif 000005
【図４】
2004222505.tif 000006
【図５】
2004222505.tif 000007
【図６】
2004222505.tif 000008
【図７】
2004222505.tif 000009